(57)【要約】【課題】本発明はレンズをホルダで一体化したレンズユニットにおいて、組み立ての伴う光学特性の劣化を抑制することを目的とするものである。【解決手段】レンズ２をホルダ１に一体化したレンズユニットにおいて、貫通孔１ａを有するホルダ１と、この貫通孔１ａ内に圧入固定されたレンズ２とを備え、貫通孔１ａの内周面における貫通孔１ａとレンズ２との圧接面領域においてレンズ２と当接しない空隙部５を設けた構成とするものである。【選択図】図３
2006030243.tif 000002
【特許請求の範囲】
【請求項１】
貫通孔を有するホルダと、前記貫通孔内に圧入固定されたレンズとを備え、前記貫通孔の内周面における前記貫通孔と前記レンズとの圧接面領域において前記レンズと当接しない空隙部を設けたことを特徴とするレンズユニット。
【請求項２】
空隙部に接着剤を配置しレンズをホルダに固着させたことを特徴とする請求項１に記載のレンズユニット。
【請求項３】
空隙部を４以上の偶数個、等間隔に設けたことを特徴とする請求項２に記載のレンズユニット。
【請求項４】
空隙部を用いてホルダとレンズを接着するにあたり、接着に用いる空隙部を一つ置きに配置し、その間に位置する空隙部を非接着箇所としたことを特徴とする請求項３に記載のレンズユニット。
【発明の詳細な説明】
【技術分野】
【０００１】
本発明は、レンズをホルダに圧入固定したレンズユニットに関する。
【背景技術】
【０００２】
近年、カメラ付き携帯電話のように本機能に対して付加的に取り付けられるレンズは外部機器に取り付けるためのホルダにレンズを一体化した構成が用いられている。
【０００３】
従来、このようにホルダにレンズを一体化したレンズユニットを作成する場合、ホルダに設けられた貫通孔の内周形状とレンズの外周形状をほぼ一致させた上で貫通孔の内周径をレンズの外周径より若干大きく設定し、レンズを貫通孔に圧入することでなされていた。
【０００４】
なお、この出願の発明に関連する先行技術文献情報としては、例えば、特許文献１が知られている。
【特許文献１】特開平６−１６０６８５号公報
【発明の開示】
【発明が解決しようとする課題】
【０００５】
しかしながら、貫通孔の内周形状とレンズの外周形状をほぼ一致させた状態でレンズをホルダに圧入すれば、レンズの外周側面の全面がホルダの内周面と当接することになり、この当接面における圧接応力が分散されることなくレンズの中心方向に向けて作用してしまうため、レンズに複屈折が生じ光学特性を劣化させてしまうという問題を有していた。
【０００６】
そこで、本発明はこのような問題を解決しレンズユニットの組み立てにおける光学特性の劣化を抑制することを目的とする。
【課題を解決するための手段】
【０００７】
この目的を達成するために本発明は、特にホルダの内周面におけるレンズとの当接領域においてホルダがレンズと当接しない空隙部を設けた構成としたのである。
【発明の効果】
【０００８】
この構成により本発明のレンズユニットは、圧接応力の一部が空隙部を囲むホルダ部分が空隙部の内側に向けて弾性変形する応力として作用することになり、その分レンズに働く圧接応力が軽減されるため、レンズユニットの組み立てにおける光学特性の劣化を抑制することが出来るのである。
【発明を実施するための最良の形態】
【０００９】
以下、本発明の一実施形態について図を用いて説明する。
【００１０】
図１はレンズユニットの分解斜視図であり、図２はレンズユニットの断面図である。
【００１１】
このレンズユニットは貫通孔１ａを有する樹脂製のホルダ１と、貫通孔１ａに圧入された樹脂製のレンズ２とで形成され、貫通孔１ａ内に設けられた段差部分にレンズの外周部分が当接することで挿入量が規定される構成となっており、主としてカメラ付き携帯電話などの小型な固体撮像系に用いられるものである。
【００１２】
このレンズユニットにおいては図３に示されるように、ホルダ１の貫通孔１ａの形状が従来のレンズ２の外周側面の全面と密着する環状ものとは異なり、破線３で示す環状の内周面を部分的に内方に突出させ、その内接円の径をレンズ２の外周径より若干小さくなるように設定しており、レンズ２は貫通孔１ａの内周面において突出部４により圧接されるようになるとともに、突出部４間にレンズ２の外周面と貫通孔１ａの内周面とが当接しない空隙部５が形成されることとなる。
【００１３】
そして、この空隙部５がレンズ２とホルダ１との当接領域に存在することにより、レンズ２を圧入した際に生じる複屈折の発生を抑制出来るのである。
【００１４】
この点については図４に示されるように、空隙部５にはレンズ２を圧入した際にホルダ１に加わる圧接応力６ａにより突出部４がこの空隙部５の内側に向けて弾性変形するため、その弾性変形に要する応力７がレンズ２の圧入により生じた圧接応力６ａから分配されるため、ホルダ１からレンズ２に加わる圧接応力６ｂはホルダ１に加わる圧接応力６ａから弾性変形に伴う応力７が軽減されたものとなり、結果としてレンズ２に生じる複屈折が減少されることとなる。つまりレンズユニットの組み立てにおける光学特性の劣化を抑制することが出来るのである。
【００１５】
また、このレンズユニットにおいては、図３に示されるように６つの突出部４およびこの突出部４によって形成される６つの空隙部５が、レンズ２の光軸８に対して対称配置となるよう等間隔に設けられていることから、各突出部４とレンズ２の当接部分に生じる圧接応力６ｂの方向がレンズ２を等分割する方向に分散されるようになりそのベクトル和が理論上ゼロとできることから、各当接部分からレンズ２に加わる圧接応力に伴うレンズ２の光軸ズレを防止できるのである。
【００１６】
なお、このように圧入により一体化されたレンズユニットにおいては、さらにレンズ２とホルダ１の一体性を高めるためにレンズ２とホルダ１とを接着固定することが考えられるが、この場合図５に示されるように空隙部５を用いて接着固定すればレンズ２表面に接着部９に設けられた接着剤が回り込むことを抑制でき、この接着剤がレンズ２の光学面に回り込むことによる光学特性への影響を抑制できるのである。
【００１７】
また、このようなレンズユニットにおいてはレンズ２の結露などを考慮して貫通孔１ａ内におけるレンズ２前後部分での通気性を有する必要があるため、この通気性を備えるため、複数の空隙部５の内少なくとも一つの空隙部５を非接着部１０としてその通気性を確保することが望ましく、この非接着部１０の配置においても先に図２を用いて述べた応力分散を考慮する必要があり、この点から空隙部５における接着部９と非接着部１０を交互に配置することで、先に述べた突出部４から加わる圧接応力６ｂの応力分散と同様に接着剤の硬化収縮に伴う収縮応力１１を分散させることが出来るのである。
【００１８】
なお、レンズ２が突出部４に圧入されていることから、接着部９と非接着部１０とが圧接面により確実に分離されているので、接着部９に設けられた接着剤が非接着部１０に回り込むことはないのである。
【００１９】
また、このレンズユニットにおいては、ホルダ１に６つの突出部４を設けてレンズ２を圧接する構造を用いているが、この突出部４の数はホルダ１に対してレンズ２を安定保持させる上で３つ以上設けることが望ましいものとなるが、空隙部５における接着部９と非接着部１０を交互に配置することを加味すれば４つ以上設けることが望ましく、さらには接着部９における３点支持以上を考慮すれば６つ以上設けることが望ましいものである。
【００２０】
さらに、このホルダ１における貫通孔１ａの形状を巨視的に多角形状とする場合、ホルダ１の成形金型形状、特に貫通孔１ａ側の金型形状が円柱状の金型の側面を直線的に切除すれば良く加工性に優れ、高度な成形精度を確保できるのである。
【産業上の利用可能性】
【００２１】
以上のように本発明のレンズユニットは、組み立て時の光学特性の劣化を抑制するという効果を有し、小型高性能なコンパクトデジタルカメラやモバイルカメラ等に代表される各種電子機器の撮像素子の用途として有用である。
【図面の簡単な説明】
【００２２】
【図１】本発明の一実施形態におけるレンズユニットを示す分解斜視図
【図２】同レンズユニットの断面図
【図３】同レンズユニットを光軸側から見た断面図
【図４】同レンズユニットレンズの圧入状態を示す図
【図５】同レンズユニットレンズにおけるレンズの接着固定状態を示す図
【符号の説明】
【００２３】
１  ホルダ
１ａ  貫通孔
２  レンズ
５  空隙部
【図１】
2006030243.tif 000003
【図２】
2006030243.tif 000004
【図３】
2006030243.tif 000005
【図４】
2006030243.tif 000006
【図５】
2006030243.tif 000007